【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
本体と、
前記本体から離れるように延びるコネクタタブであって、該コネクタタブが、幅、高さ、及び長さ寸法を有し、かつ該コネクタタブの形状を定める導電フレームを含み、該導電フレームが、該幅及び長さ寸法に延びる第１及び第２の対向側面と、該高さ及び長さ寸法に該第１及び第２の側面の間を延びる第３及び第４の対向側面とを有し、該第１の側面が、第１の開口部を有し、該第２の側面が、該第１の開口部の正反対側に第２の開口部を有する前記コネクタタブと、
前記導電フレームの前記第１の開口部に形成された第１の接点領域に前記コネクタタブによって担持された第１の複数の外部接点であって、誘電材料が、該第１の複数の接点の各々を隣接する接点からかつ該導電フレームから分離する前記第１の複数の外部接点と、
前記導電フレームの前記第２の開口部に形成された第２の接点領域に前記タブによって担持された第２の複数の外部接点であって、該第２の複数の接点における各接点が、前記第１の複数の接点における接点の正反対側に位置決めされ、誘電材料が、該第２の複数の接点の各々を隣接する接点からかつ該導電フレームから分離する前記第２の複数の外部接点と、
を含むことを特徴とするプラグコネクタ。
【請求項２】
前記導電フレームは、該導電フレームの前記第１、第２、第３、及び第４の側面の間に形成された空洞によって連通する第３の開口部を有する基部部分を前記本体内に更に有することを特徴とする請求項１に記載のプラグコネクタ。
【請求項３】
コネクタの前記本体から前記導電フレームの前記第３の開口部を通って前記空洞の中に延び、該導電フレームの前記第１の側面に向く第１の対向基板側面と該導電フレームの前記第２の側面を向く第２の対向基板側面とを有する基板と、
前記第１の基板側面上に形成され、各々が前記第１の複数の接点における対応する接点に電気的に結合された第１の複数の接点接着パッドと、
前記第２の基板側面上にあり、各々が前記第２の複数の接点における対応する接点に電気的に結合された第２の複数の接点接着パッドと、
前記コネクタの前記本体内で前記基板上に形成され、少なくとも一部が、該基板によって担持された電気トレースによって前記第１及び第２の複数の接点接着パッドの一部に電気的に接続された複数の導体接着パッドと、
を含むことを特徴とする請求項２に記載のプラグコネクタ。
【請求項４】
前記基板は、プリント回路基板を含むことを特徴とする請求項３に記載のプラグコネクタ。
【請求項５】
前記導電フレームは、前記基部部分と前記第１の側面との間に垂直に延びる第１の面と、該基部部分と前記第２の側面との間に垂直に延びる第２の面とを更に有することを特徴とする請求項２に記載のプラグコネクタ。
【請求項６】
前記導電フレームの前記第１及び第２の面を覆う誘電性トリム部分を更に含むことを特徴とする請求項５に記載のプラグコネクタ。
【請求項７】
前記導電フレームの前記第３及び第４の側面に形成され、対応するレセプタクルコネクタの保持特徴部と嵌合するように構成された第１及び第２の保持特徴部をさらに備えることを特徴とする請求項１に記載のプラグコネクタ。
【請求項８】
前記第１及び第２の複数の接点の各々における接点が、単一の列に沿って離間し、
前記第１及び第２の複数の接点は、対角的関係に配置された第１及び第２の電力接点と、第２の対のデータ接点と対角的関係に配置された第１の対のデータ接点とを含む、
ことを特徴とする請求項１に記載のプラグコネクタ。
【請求項９】
前記コネクタタブは、第１の向き又は前記第１の向きから１８０度回転した第２の向きのいずれ方向でも、対応するレセプタクルコネクタに挿入されるように１８０度対称性を有することを特徴とする請求項１〜８のいずれか１項に記載のプラグコネクタ。
【請求項１０】
電気コネクタのための導電フレームであって、
基部部分と、
前記基部部分から離れるように延びる１８０度対称性を有し、
幅、高さ、及び長さ寸法、
前記幅及び長さ寸法に延びる第１及び第２の対向外部面であって、該第１の外部面が第１の開口部を有し、該第２の外部面が、該第１の開口部の正反対側の第２の開口部を有する前記第１及び第２の対向外部面、
前記高さ及び長さ寸法に前記第１及び第２の外部面の間を延びる第３及び第４の対向外部面、及び
前記第１及び第２の対向外側面の間及び前記第３及び第４の対向外側面の間を前記フレームの遠位端で前記幅及び高さ寸法に延びる端面、
を有する挿入端部と、
を含むことを特徴とする導電フレーム。
【請求項１１】
前記基部部分と前記第１の外部面との間に垂直に延びる第１の面と、該基部部分と前記第２の外部面との間に垂直に延びる第２の面とを更に含むことを特徴とする請求項１０に記載の導電フレーム。
【請求項１２】
前記第３及び第４の対向外部面は、それぞれ、対向する第１及び第２の窪みを有することを特徴とする請求項１０に記載の導電フレーム。
【請求項１３】
前記挿入端部は、前記基部部分から延びて前記遠位端で終わる長さを有し、
前記第１及び第２の窪みは、前記長さの少なくとも三分の一以内に位置決めされる、
ことを特徴とする請求項１２に記載の導電フレーム。
【請求項１４】
前記挿入端部は、前記第１、第２、第３、及び第４の外部面の間に形成された空洞を含み、前記基部部分は、該空洞内への開口部を有することを特徴とする請求項１０に記載の導電フレーム。
【請求項１５】
前記基部部分及び挿入端部は、単体の金属から形成されることを特徴とする請求項１０に記載の導電フレーム。
【請求項１６】
電子デバイスであって、
デバイスハウジングと、
前記デバイスハウジングに結合されたコネクタハウジングを有するレセプタクルコネクタであって、該コネクタハウジングが、内部空洞と該デバイスハウジングの面での開口部とを定め、該開口部及び内部空洞が、対応するプラグコネクタを第１の向きにかつ該第１の向きから１８０度回転した第２の向きに該開口部を通って該空洞の中に挿入させるような形状にされた前記レセプタクルコネクタと、
前記内部空洞内に位置決めされた複数の電気接点と、
前記複数の電気接点に結合され、かつ前記レセプタクルコネクタと前記対応するプラグコネクタとの間の嵌合イベントに応答して、
前記対応するプラグコネクタにおいて第１の嵌合接点に物理的に接触する前記複数の電気接点における第１の接点にわたって第１の信号を送信し、かつ返事の応答信号を待ち、
前記第１の信号に対する応答信号が前記第１の接点にわたって受信された場合に、前記複数の電気接点における付加的な接点にわたって前記レセプタクルコネクタと前記プラグコネクタの間で信号を転送することを可能にし、
前記第１の信号に対する応答信号が受信されなかった場合に、前記対応するプラグコネクタにおいて第２の嵌合接点に物理的に接触する前記複数の電気接点における第２の接点にわたって第２の信号を送信し、かつ返事の応答信号を待ち、かつ
前記第２の信号に対する応答信号が前記第２の接点にわたって受信された場合に、前記複数の電気接点における付加的な接点にわたって前記レセプタクルコネクタと前記プラグコネクタの間で信号を転送することを可能にする、
ように構成された電気回路と、
を含むことを特徴とする電子デバイス。
【請求項１７】
前記電気回路は、前記プラグコネクタの前記向きに基づいて前記複数の電気接点の機能性を設定するように更に構成されることを特徴とする請求項１６に記載の電子デバイス。
【請求項１８】
前記電気回路が、前記プラグコネクタが第１の向きに前記レセプタクルコネクタと嵌合している時には第１のマッピングに従って前記複数の電気接点の機能性を設定し、かつ該プラグコネクタが該第１の向きから１８０度回転した第２の向きに該レセプタクルコネクタと嵌合している時には第２のマッピングに従って該複数の接点の該機能性を設定するように構成されることを特徴とする請求項１６に記載の電子デバイス。
【請求項１９】
前記内部空洞は、幅と、該幅よりも短い高さと、該内部空洞の該幅を二分する中心線によって定められる時の左半分及び右半分とを有し、
前記複数の接点は、（ｉ）前記内部空洞の前記左半分内に位置付けられ、かつ第１の距離だけ前記中心線から離間した第１の接点と、（ｉｉ）該内部空洞の前記右半分内に位置付けられ、かつ該第１の距離だけ該中心線から離間した第２の接点とを含み、
前記電気回路は、前記第１のマッピングにおける前記第１の接点の前記機能性を前記第２のマッピングにおける前記第２の接点の前記機能性と同じであるように設定するように構成される、
ことを特徴とする請求項１８に記載の電子デバイス。
【請求項２０】
前記複数の電気接点は、前記中心線から第２の距離だけ離間した前記内部空洞の前記左半分内の第３の接点位置に位置付けられた第１の電力接点と、該中心線から該第２の距離だけ離間した該内部空洞の前記右半分内の第４の接点位置に位置付けられた第２の電力接点とを更に有することを特徴とする請求項１９に記載の電子デバイス。